(57)【特許請求の範囲】
【請求項１】
上下複数段の予備苗載せ台それぞれを、下降使用姿勢と上昇格納姿勢とに揺動切り換え自在に予備苗載せ台支柱に取り付けてある田植機の予備苗収容装置であって、
上段側の予備苗載せ台に係合部を、下段側の予備苗載せ台の遊端側に前記係合部に係脱操作自在な係止部をそれぞれ設け、上段側の予備苗載せ台及び下段側の予備苗載せ台が前記上昇格納姿勢に在る状態で、前記係合部と前記係止部とを係合操作できるように、かつ、前記係合部と前記係止部とが係合した状態で、下段側の予備苗載せ台が予備苗載せ台支柱との連結点を反力点として上段側の予備苗載せ台を上昇格納姿勢に突っ張り支持するように構成し、
前記係止部を、予備苗載せ台の苗載置部の貫通孔より予備苗載せ台遊端側に、かつ、前記係合部を、前記係止部より予備苗載せ台基端側にそれぞれ配置してある田植機の予備苗貯留装置。
【請求項２】
前記係止部及び前記係合部を、予備苗載せ台の前後方向での中央部に配置してある請求項１記載の田植機の予備苗収容装置。
【請求項３】
上段側の予備苗載せ台を上昇格納姿勢から予備苗載せ台支柱の方に揺動させることによって前記係合部と前記係止部の係合が解除するように、係合部と係止部の係合形態、及び、予備苗載せ台の予備苗載せ台支柱に対する取付け位置を設定してある請求項１又は２記載の田植機の予備苗収容装置。
【発明の詳細な説明】
【０００１】
【発明の属する技術分野】
本発明は、田植機の予備苗収容装置に関する。
【０００２】
【従来の技術】
田植機の予備苗収容装置として、従来、予備苗載せ台を使用姿勢と格納姿勢とに揺動切り換え自在に予備苗載せ台支柱に取り付け、田植機を移動走行させるとか屋内に収納するなどの場合、予備苗載せ台を格納姿勢に切り換えることにより、予備苗収容装置の走行機体から外側への突出をなくすとか少なくしたり、予備苗収容装置を前方視の障害になりくくしたりできるものがあった。
【０００３】
この種の予備苗収容装置において、従来、予備苗載せ台支柱の苗載せ台支持部と、予備苗載せ台の取付け部とにわたって挿通させた頭付き連結ピンにより、予備苗載せ台を予備苗載せ台支柱に揺動自在に連結し、頭付き連結ピンの先端側に装着したベータピンなどの抜け止め具により、頭付き連結ピンの抜け止めを行うようになっていた。
【０００４】
また、予備苗載せ台支柱の苗載せ台支持部と、予備苗載せ台の取付け部とにわたって取り付けたコイルスプリングを備えるとともに、予備苗載せ台が揺動するに伴い、予備苗載せ台側のスプリング連結点が移動して、コイルスプリングが予備苗載せ台を使用姿勢に揺動付勢する状態と、予備苗載せ台を格納姿勢に揺動付勢する状態とに切り換わるように構成することにより、予備苗載せ台をコイルスプリングの付勢作用で使用姿勢や格納姿勢に位置決めしたり保持するようになっていた。
【０００５】
苗すくい板収納部を備えている予備苗収容装置として、従来、複数枚の苗すくい板を載置する底部材、この底部材に載置された苗すくい板を倒れないように支持する側枠部材を苗すくい板収納部に備えることにより、予備苗を使用して不要になった複数枚の苗すくい板を纏めて収容できるようになったものがあった。
【０００６】
【発明が解決しようとする課題】
従来、予備苗載せ台を予備苗載せ台支柱に揺動切り換え自在に取り付けるものにおいて、頭付き連結ピンの他に、この頭付き連結ピンに装着する抜け止め具も単独の部品として準備する必要があった。
【０００７】
予備苗載せ台を格納姿勢や使用姿勢に位置決めさせるとか保持させるに当たり、そのためのコイルスプリングを単独の部品として準備する必要があった。
【０００８】
苗すくい板収容部を備えるものにおいては、従来、苗すくい板を保持させる部材として比較的大型かつ構造複雑なものが必要になっていた。
【０００９】
本発明の目的は、予備苗載せ台を使用姿勢と格納姿勢とに揺動切り換えできるものにおいては、頭付き連結ピンの抜け止め、予備苗載せ台の姿勢保持とか位置決めが単独部品を必要としないで行え、苗すくい板収容部を備えるものにおいては、複数枚の苗すくい板の収納が小型かつ構造簡単な部材で行え、コスト面などで有利に得られる予備苗収容装置を提供することにある。
【００１０】
【課題を解決するための手段】
請求項１による発明の構成、作用、効果はつぎのとおりである。
【００１１】
〔構成〕
予備苗載せ台を、使用姿勢と格納姿勢とに揺動切り換え自在に予備苗載せ台支柱に取り付けてある田植機の予備苗収容装置において、
前記予備苗載せ台支柱の苗載せ台支持部と、前記予備苗載せ台の樹脂製の取付け部とにわたって挿通されて予備苗載せ台を予備苗載せ台支柱に揺動自在に連結する頭付き連結ピンを備え、
この頭付き連結ピンが前記取付け部から抜け外れることを防止するべく頭付き連結ピンの頭部にストッパー作用する樹脂製の抜け止め片部を、この抜け止め片部のストッパー部が前記取付け部のピン孔の延長上に位置する抜け止め姿勢の状態で前記取付け部に一体成型するとともに、前記ストッパー部が前記ピン孔の延長上から外れた抜け止め解除姿勢に弾性変形させ得るように成型してある。
【００１２】
〔作用〕
予備苗載せ台を予備苗載せ台支柱に組み付けるに当たり、抜け止め片部を抜け止め解除姿勢に弾性変形させてそのストッパー部がピン挿入の障害物にならないようにしながら、頭付き連結ピンを予備苗載せ台の取付け部に挿入する。頭付き連結ピンが予備苗載せ台の取付け部と、予備苗載せ台支柱の苗載せ台支持部とにわたって入り込むと、抜け止め片部の弾性変形操作を解除する。すると、抜け止め片部が弾性変形のために有する復元力によって抜け止め姿勢に復元し、ストッパー部によって頭付き連結ピンを予備苗載せ台の取付け部及び予備苗載せ台支柱の苗載せ台支持部から抜け外れにないように抜け止めする。そして、抜け止め片部を予備苗載せ台の樹脂製の取付け部に一体成型してあることにより、頭付き連結ピンを、予備苗載せ台の取付け部との一体部品として得た抜け止め手段としての抜け止め片部によって抜け止めされる状態にして組み付けられる。
【００１３】
〔効果〕
予備苗載せ台を予備苗載せ台支柱に頭付き連結ピンによって揺動自在に取り付けるものでありながら、頭付き連結ピンの抜け止め手段としての抜け止め片部を予備苗載せ台の取付け部との一体部品として入手して安価に得られる。
【００１４】
請求項２による発明の構成、作用、効果はつぎのとおりである。
【００１５】
〔構成〕
上下複数段の予備苗載せ台それぞれを、下降使用姿勢と上昇格納姿勢とに揺動切り換え自在に予備苗載せ台支柱に取り付けてある田植機の予備苗収容装置において、
上段側の予備苗載せ台の裏面側に係合部を、下段側の予備苗載せ台の遊端側に前記係合部に係脱操作自在な係止部をそれぞれ一体形成し、上段側の予備苗載せ台及び下段側の予備苗載せ台が前記上昇格納姿勢に在る状態で、前記係合部と前記係止部とを係合操作できるように、かつ、前記係合部と前記係止部とが係合した状態で、下段側の予備苗載せ台が予備苗載せ台支柱との連結点を反力点として上段側の予備苗載せ台を上昇格納姿勢に突っ張り支持するように構成してある。
【００１６】
〔作用〕
上段側の予備苗載せ台も、下段側の予備苗載せ台も上昇格納姿勢にしてそれらの係合部と係止部とを係合させると、下段側の予備苗載せ台が予備苗載せ台支柱との連結点を反力点として上段側の予備苗載せ台を突っ張り支持する。そして、係合部は上段側の予備苗載せ台に、係止部は下段側の予備苗載せ台にそれぞれ一体形成してあるから、上段側の予備苗載せ台との一体部品として得た姿勢保持手段としての係合部と、下段側の予備苗載せ台との一体部品として得た姿勢保持手段としての係止部とによって上段側の予備苗載せ台も下段側の予備苗載せ台も上昇格納姿勢に保持できる。
【００１７】
〔効果〕
上段側の予備苗載せ台も下段側の予備苗載せ台も上昇格納姿勢に保持できるものでありながら、姿勢保持手段としての係合部及び係止部を予備苗載せ台との一体部品として入手して安価に得られる。
【００１８】
請求項３による発明の構成、作用、効果はつぎのとおりである。
【００１９】
〔構成〕
予備苗載せ台を、使用姿勢と格納姿勢とに揺動切り換え自在に予備苗載せ台支柱に取り付けてある田植機の予備苗収容装置において、
前記予備苗載せ台を前記予備苗載せ台支柱の苗載せ台支持部に連結するための樹脂製の取付け部を、予備苗載せ台に備えさせ、
前記予備苗載せ台を位置決めする樹脂製の位置決め突起を、前記取付け部に一体成型するとともに、予備苗載せ台が予備苗載せ台支柱に対して揺動するに伴って予備苗載せ台支柱の表側と裏側とに移動し、予備苗載せ台支柱の表側又は裏側との当接によって前記予備苗載せ台を前記使用姿勢と前記格納姿勢とに位置決めするように成型してある。
【００２０】
〔作用〕
予備苗載せ台を使用姿勢や格納姿勢に切り換えると、位置決め突起が予備苗載せ台の取付け部と共に予備苗載せ台支柱に対してその表側や裏側に移動し、予備苗載せ台が使用姿勢になった場合も、格納姿勢になった場合も、位置決め突起がが予備苗載せ台支柱の表側又は裏側との当接によって予備苗載せ台を使用姿勢や格納姿勢に位置決めする。そして、位置決め突起は予備苗載せ台の取付け部に一体成型してあることにより、予備苗載せ台を使用姿勢にした場合も、格納姿勢にした場合も、予備苗載せ台の取付け部との一体部品として得た位置決め手段としての位置決め突起によって予備苗載せ台を走行やエンジン振動などで揺れ動きにくいように位置決めできる。
【００２１】
〔効果〕
使用姿勢や格納姿勢に切り換えた予備苗載せ台を揺れ動きにくいように位置決めできるものでありながら、位置決め手段としての位置決め突起を予備苗載せ台の取付け部との一体部品として入手して安価に得られる。
【００２２】
請求項４による発明の構成、作用、効果はつぎのとおりである。
【００２３】
〔構成〕
苗すくい板部の一端部から立ち上がる苗受止め部、及び、この苗受止め部の上端部から苗すくい板部側とは反対側に延出する把手部が備えられている苗すくい板の複数枚を保持する苗すくい板収容部を備えてある田植機の予備苗収容装置において、
前記苗すくい板収容部に、苗すくい板の前記把手部を掛けることによって苗すくい板が吊り下げ保持される苗すくい板吊り下げ体を備えさせ、
前記苗すくい板吊り下げ体の吊り下げ部は、この吊り下げ部の先端側で保持する苗すくい板ほど高レベルに位置させて、吊り下げ部の先端側で保持する苗すくい板の苗受け止め部が、吊り下げ部の基端側で保持する苗すくい板の苗受け止め部の上側に重なる収容状態で複数枚の苗すくい板を保持する。
【００２４】
〔作用〕
複数枚の苗すくい板の把手部を順次に苗すくい板吊り下げ体の吊り下げ部に掛けていく。すると、吊り下げ部の先端側で保持される苗すくい板ほど高レベルに位置し、先端側で保持される苗すくい板の苗受け止め部が基端側で保持される苗すく板の苗受け止め部の上に重なる収容状態で複数枚の苗すくい板が吊り下げ保持される。これにより、複数枚の苗すくい板を、苗すくい板の枚数の割りには短い吊り下げ部と、狭い収容スペースとによって収容できる。
【００２５】
〔効果〕
苗すくい板吊り下げ体の吊り下げ部や収容スペースを収容可能な苗すくい板の枚数の割りには短いとか小さいものに済ませ、複数枚の苗すくい板を纏めて収容できる予備苗収容装置を苗すくい板収容部の面から安価かつコンパクトに得られる。
【００２６】
【発明の実施の形態】
図１及び図２に示すように、左右一対の駆動及び操向操作自在な前車輪１，１と左右一対の駆動自在な後車輪２，２とによって自走し、機体前端部に位置するエンジン及びエンジンボンネット３を有する原動部、この原動部の後方に位置する運転座席４を有する運転部を備えるとともに、前記エンジンボンネット３の両横側に上下複数段の予備苗載せ台１１を備える予備苗収容装置１０を設けてある自走機体の後部に、油圧式のリフトシリンダ５によって上下に揺動操作自在なリンク機構６を介して昇降操作するように苗植付装置８を連結するとともに、自走機体の後部から回転伝動軸７によって苗植付装置８に動力伝達するように構成してある。自走機体の運転座席４の後側に設けた肥料タンク９ａ、苗植付装置８の植え付け機体の下部に機体横方向に並べて取り付けてある複数個の接地フロート８ａそれぞれに支持させてある作溝器９ｂなどを有する施肥装置９を備えさせ、もって、施肥装置付き乗用型田植機を構成してある。
【００２７】
すなわち、苗植付装置８を自走機体に対して下降操作し、前記接地フロート８ａが圃場の泥面上に接触する作業レベルにして自走機体を走行させる。すると、苗植付装置８の植え付け機体の後部にこの機体横方向に並べて取り付けてある複数個の苗植付機構８ｂそれぞれが、苗載せ台８ｃに載置されたマット状苗の下端部から一株分のブロック苗を切断するとともに取り出し、接地フロート８ａが整地した後の泥土面に植え付けていく。
【００２８】
前記施肥装置９は、前記肥料タンク９ａ及び前記複数個の作溝器９ｂの他に、肥料タンク９ａの下部に自走機体の横方向に並んで連結する複数の肥料繰出し装置、各肥料繰出し装置の繰り出し部に送風する一つの電動ブロア９ｃ、前記複数個の肥料繰出し装置の繰り出し部を前記複数個の作溝器９ｂに各別に接続している複数本の肥料供給ホース９ｄを備えており、苗植付装置８が苗植え作業を行っていくに伴い、各肥料繰出し装置が肥料タンク９ａから粒状肥料を設定量ずつ繰り出し、肥料繰出し装置からの粒状肥料を電動ブロア９ｃが供給する風によって肥料供給ホース９ｄに送り込み、各作溝器９ｂが前記苗植付機構８ｂによって苗植え付けされる圃場泥土の横側近くに溝を作成し、その溝の内部に肥料供給ホース９ｄからの肥料を供給していく。
【００２９】
前記左右一対の予備苗収容装置１０，１０それぞれは、苗植付装置８の苗載せ台８ｃに補給する予備のマット状苗を収容しておくものであり、次の如く構成してある。
【００３０】
すなわち、図１及び図２に示す如き形状に折り曲げ形成して自走機体のエンジン搭載フレームと、ミッションケースで成る機体部分とにわたって連結した１本の丸パイプ材により、上端側どうしが連結された前後一対の予備苗載せ台支柱１２，１２を作成し、前記上下複数段の予備苗載せ台１１・・それぞれを横幅方向での一端側で前記前側の予備苗載せ台支柱１２と後側の予備苗載せ台支柱１２とにわたって取り付けてある。
【００３１】
図４に示すように、各予備苗載せ台１１・・は、中央部に複数の貫通孔１１ａを備えるように、かつ、一枚の予備マット状苗を図８の如き苗すくい板３０に載せたままで予備マット状苗の長手方向が予備苗載せ台１１の前後向きになる姿勢で載置するように形成した苗載置部１１ｂと、この苗載置部１１ｂに載置された予備マット状苗及び苗すくい板３０の落ち止めを行うように苗載置部１１ｂの両横端部、前端部、後端部のそれぞれから立ち上がる横側壁部１１ｃ，１１ｄ、前側壁部１１ｅ、後側壁部１１ｆとによって作成してある。苗載置部１１ｂ、両横側壁部１１ｃ，１１ｄ、前側壁部１１ｅ、後側壁部１１ｆのそれぞれは合成樹脂で一体に作成してある。
【００３２】
各予備苗載せ台１１・・には、予備苗載せ台１１を成型する際にそれぞれの前記横側壁部１１ｃに一体に成型した合成樹脂製の前後一対の取付け部１３，１３を備えさせ、この一対の取付け部１３，１３と、図４〜図７に示す取付け構造とによって前記前後一対の予備苗載せ台支柱１２，１２に取り付けてある。
【００３３】
すなわち、図６及び図７に明示するように、前記前後一対の取付け部１３，１３それぞれに、予備苗載せ台１１の前後方向に沿う方向のピン孔１３ａを有する前後一対の取付け部本体１３ｂ，１３ｂを備えさせ、前側の取付け部１３の前後一対の取付け部本体１３ｂ，１３ｂと、前側の予備苗載せ台支柱１２のピン孔１２ａを有する苗載せ台支持部１２ｂとにわたって挿通させた頭付き連結ピン１４により、前側の取付け部１３を前側の予備苗載せ台支柱１２の苗載せ台支持部１２ｂに回動自在に連結し、後側の取付け部１３の前後一対の取付け部本体１３ｂ，１３ｂと、後側の予備苗載せ台支柱１２のピン孔１２ａを有する苗載せ台支持部１２ｂとにわたって挿通させた頭付き連結ピン１４により、後側の取付け部１３を後側の予備苗載せ台支柱１２の苗載せ台支持部１２ｂに回動自在に連結してある。
【００３４】
つまり、左側の予備苗収容装置１０においても、右側の予備苗収容装置１０においても、上下複数段の予備苗載せ台１１それぞれは、前後一対の予備苗載せ台支柱１２，１２に前記頭付き連結ピン１４の軸芯まわりで上下に揺動操作できるように連結しており、予備マット状苗を収容する際には、図３に実線で示す如く各予備苗載せ台１１を予備苗載せ台支柱１２に対して下降揺動させて、予備苗載せ台支柱１２から横外側に水平又はほぼ水平に延出する下降使用姿勢にし、各予備苗載せ台１１に予備マット状苗を一枚ずつ苗すくい板３０に載せたままで載置する。このとき、前後の取付け部１３，１３それぞれが前後の取付け部本体１３ｂどうしの間で予備苗載せ台支柱１２に当接して受け止め支持されることにより、予備苗載せ台１１が下降使用姿勢にこれ以上下降しないように固定される。
【００３５】
機体を移動走行させるとか格納するなどの際、図３に二点鎖線で示すように、各予備苗載せ台１１を予備苗載せ台支柱１２に対して上昇揺動させて、予備苗載せ台支柱１２から上向きに延出する上昇格納姿勢に切り換えることにより、予備苗収容装置１０を予備苗載せ台１１が自走機体から横外側の突出しないようにコンパクト化できる。
【００３６】
このとき、図５に明示するように、上段側の予備苗載せ台１１の裏面側に予備苗載せ台１１の成型時に一体に形成してある樹脂製のフック形の係合部１５と、下端側の予備苗載せ台１１の遊端側に前記係合部１５が出入りする貫通孔１６ａを設けてこの貫通孔１６ａの周壁部で形成されることによって、下段側の予備苗載せ台１１に一体形成されたものとなる係止部１６とを係合させる。すると、上段側の予備苗載せ台１１も、下段側の予備苗載せ台１１も上昇格納姿勢に保持できる。すなわち、上段側の予備苗載せ台１１と下段側の予備苗載せ台１１の係止部１５と係合部１６による係合部位に上段側の予備苗載せ台１１の重量が掛かるにもかかわらず係止部１５と係合部１６の係合が外れず、下段側の予備苗載せ台１１が予備苗載せ台支柱１２との連結点を反力点として上段側の予備苗載せ台１１を突っ張り支持する。尚、予備苗載せ台１１を上昇格納姿勢から下降使用姿勢に切り換える際、上段側の予備苗載せ台１１を上昇格納姿勢からさらに予備苗載せ台支柱１２の方に若干揺動させることにより、係合部１５と係止部１６の係合を解除できる。
【００３７】
図６及び図７に示すように、各予備苗載せ台１１・・を成型する際、前後の取付け部１３，１３それぞれにおける前後の取付け部本体１３ｂそれぞれの内面側に樹脂製の位置決め突起１７を一体に成型してある。図５に示すように、予備苗載せ台１１を揺動操作して取付け部本体１３ｂが予備苗載せ台支柱１２に対して回動するに伴い、位置決め突起１７に作用する予備苗載せ台支柱１２からの反力が増大すれば位置決め突起１７自体と取付け部本体１３ｂとが弾性変形し、位置決め突起１７が予備苗載せ台支柱１２を乗り越えて予備苗載せ台支柱１２の機体横方向での表側と裏側とに移動する。そして、図５に二点鎖線で示すように、予備苗載せ台１１が前記下降使用姿勢になった場合には、位置決め突起１７が予備苗載せ台支柱１２の裏面側に当接して予備苗載せ台１１を下降使用姿勢に位置決めする摩擦力を発揮し、予備苗載せ台１１が前記上昇格納姿勢になった場合には、図５に点線で示す如く位置決め突起１７が予備苗載せ台支柱１２の表面側に当接して予備苗載せ台１１を上昇格納姿勢に位置決めする摩擦力を発揮する。これにより、予備苗載せ台１１を下降使用姿勢に切り換えた場合においても、上昇格納姿勢に切り換えた場合においても、予備苗載せ台支柱１２に対してガタ付きにくいように位置決め突起１７によって位置決めした状態で各姿勢に保持できる。
【００３８】
図３及び図６に示すように、前記各予備苗載せ台１１の前側の取付け部１３を連結している前記頭付き連結ピン１４は、前側の取付け部１３における一方の取付け部本体１３ｂに備えてある抜け止め片部１８により、後側の取付け部１３を連結している前記頭付き連結ピン１４は、後側の取付け部１３における一方の取付け部本体１３ｂに備えてある抜け止め片部１８により、それぞれ取付け部本体１３ａ及び苗載せ台支持部１２ｂから抜け外れないように抜け止めしてある。
【００３９】
すなわち、前側の抜け止め片部１８も、後側の抜け止め片部１８も、取付け部１３を成型する際に一方の取付け部本体１３ｂに一体に成型した合成樹脂製の舌片状体によって作成するとともに、図７に実線で示す如く操作力を加えない自由状態では遊端側のストッパー部１８ａが取付け部本体１３ｂのピン孔１３ａの延長線上に位置する抜け止め姿勢になるようにして成型してあり、予備苗載せ台１１を予備苗載せ台支柱１２に組み付ける際、図６（イ）に示すように、抜け止め片部１８を弾性変形させて、ストッパー部１８ａが取付け部本体１３ｂのピン孔１３ａの延長線上から横側に外れた抜け止め解除姿勢にすることにより、そのストッパー部１８ａがピン挿入の障害物にならないようにしながら、頭付き連結ピン１４のピン部を予備苗載せ台１１の取付け部本体１３ｂに挿入する。頭付き連結ピン１４のピン部が予備苗載せ台１１の取付け部本体１３ｂと、予備苗載せ台支柱１２の苗載せ台支持部１２ｂとにわたって入り込んだ所定の組み付け状態になると、抜け止め片部１８の弾性変形操作を解除する。すると、図６（ロ）に示すように、抜け止め片部１８が弾性変形のために有していた復元力によって抜け止め姿勢に復元し、ストッパー部１８ａが取付け部本体１３ｂから抜け出ようとする頭付き連結ピン１４の頭部１４ａにストッパー作用する位置になる。これにより、抜け止め片部１８が頭付き連結ピン１４の抜け止めを行う。
【００４０】
図２及び図３に示すように、左側の予備苗収容装置１０における前後の予備苗載せ台支柱１２の上端側どうしを連結している連結部材１９から機体内側に延出する苗すくい板吊り下げ体２１を有する苗すくい板収容部２０を、左側の予備苗収容装置１０に備えさせてある。
【００４１】
図８に示すように、苗すくい板３０は、マット状苗をすくい取るエッジ３１ａ、及び、マット状苗を載せる苗載せ面３１ｂを備える苗すく板部３１と、この苗すくい板部３１にすくわれたマット状苗を受け止めるように苗すく板部３１の一端側から立ち上がる苗受止め部３２と、この苗受止め部３２の上端部から苗すくい板部３１側とは反対側に延出する把手部３３とによって構成してある。
【００４２】
前記苗すくい板吊り下げ体２１は、図２及び図５の如き形状に折り曲げ形成した丸棒材の両端部が形成する取付け部２１ａと、この取付け部２１ａ以外の部分が形成する吊り下げ部２１ｂとで成り、吊り下げ部２１ｂが前後の予備苗載せ台支柱１２，１２の上端側どうしを連結している連結部材１９から機体内側に向かって延出する取り付け姿勢にして取付け部２１ａを前記連結部材１９に溶接することによって予備苗載せ台支柱１２に支持させるように、かつ、吊り下げ部２１ｂを苗すくい板３１の前記把手部３３が持ちやすくなるように備えている貫通孔３３ａに入り込ませて把手部３３に係止作用させることによって、苗すくい板３０を吊り下げ保持するように構成してある。吊り下げ部２１ｂは、先端側ほど高レベルに位置する先上がり傾斜姿勢になる取付け姿勢で予備苗載せ台支柱１２に支持させてある。
【００４３】
これにより、苗すくい板収容部２０は、複数枚の苗すくい板３０を収容させるに当たり、その把手部３３を順次に吊り下げ部２１ｂに掛けていくことにより、複数枚の苗すくい板３０を予備苗載せ台支柱１２とエンジンボンネット３との間のスペースを収容スペースとして収容するとともに、苗すくい板吊り下げ体２１によって図３に二点鎖線で示す如き収容状態で収容する。
すなわち、吊り下げ部２１ｂの最も基端側に掛かる苗すくい板３０の把手部３３が取付け部２１ａの吊り下げ部２１ｂ側の端部に当接し、この当接により、最基端側の苗すくい板３０を吊り下げ部２１ｂから抜け落ちないように吊り下げ保持する。そして、吊り下げ部２１ｂの前記傾斜姿勢のため、吊り下げ部２１ｂの先端側に掛かる苗すくい板３０ほど高レベルに位置し、かつ、吊り下げ部２１ｂの先端側で保持される苗すくい板３０の苗受け止め部３２が吊り下げ部２１ｂの基端側で保持される苗すくい板３０の苗受け止め部３２の上側に重なる状態で吊り下げ保持する。
【図面の簡単な説明】
【図１】施肥装置付き乗用型田植機全体の側面図
【図２】施肥装置付き乗用型田植機全体の平面図
【図３】苗すくい板収容状態の説明図
【図４】予備苗収容装置の平面図
【図５】予備苗載せ台の上昇格納姿勢の説明図
【図６】予備苗載せ台取付け部の断面図
【図７】予備苗載せ台の取付け部の斜視図
【図８】苗すくい板の斜視図
【符号の説明】
１１      予備苗載せ台
１２      予備苗載せ台支柱
１２ａ    苗載せ台支持部
１３      取付け部
１３ａ    ピン孔
１４      頭付き連結ピン
１４ａ    頭付き連結ピンの頭部
１５      係合部
１６      係止部
１７      位置決め突起
１８      抜け止め片部
１８ａ    ストッパー部
２０      苗すくい板収容部
２１      苗すくい板吊り下げ体
２１ｂ    吊り下げ部
３０      苗すくい板
３１      苗すくい板部
３２      苗受け止め部
３３      把手部
【図１】
0004004388.tif 000002
【図２】
0004004388.tif 000003
【図３】
0004004388.tif 000004
【図４】
0004004388.tif 000005
【図５】
0004004388.tif 000006
【図６】
0004004388.tif 000007
【図７】
0004004388.tif 000008
【図８】
0004004388.tif 000009